(57)【要約】【課題】超音波診断装置を安定して保持することができる超音波診断装置用支持台、診断装置セット、および安定して保持され得る超音波診断装置を提供する。【解決手段】超音波診断装置用支持台は、超音波を受信するプローブと、受信した超音波に基づいて作成される画像を表示する画像表示部と、主面に画像表示部が配置され、所定方向の一端にプローブが配置されたケーシングと、を有する超音波診断装置を支持する超音波診断装置用支持台であって、接地面を形成する下面と、反対面が載置される上面とを有し、所定方向及び所定方向と交差する方向へのケーシングの相対移動を規制する支持面を備えている。【選択図】図４
2020081250.tif 000002
【特許請求の範囲】
【請求項１】
超音波を受信するプローブと、受信した超音波に基づいて作成される画像を表示する画像表示部と、主面に前記画像表示部が配置され、所定方向の一端に前記プローブが配置されたケーシングと、を有する超音波診断装置を支持する超音波診断装置用支持台であって、
接地面を形成する下面と、前記反対面が載置される上面とを有し、前記所定方向及び前記所定方向と交差する方向への前記ケーシングの相対移動を規制する支持面を備えている、超音波診断装置用支持台。
【請求項２】
前記上面は、前記ケーシングの前記反対面と対面する底面と、前記ケーシングの側面或いは前記ケーシングの底面周縁と対面する周壁とを有し、前記周壁は、少なくとも、前記底面の両端に繋がり上方に向けて傾斜する傾斜面を含む支持面を形成している、請求項１に記載の超音波診断装置用支持台。
【請求項３】
前記ケーシングの前記反対面の一部に係合する係合部を備え、前記係合部は前記底面上に突出或いは陥没して形成された支持面である、請求項１又は２に記載の超音波診断装置用支持台。
【請求項４】
前記係合部は、前記所定方向と交差する方向に延在するように設けられている、請求項３に記載の超音波診断装置用支持台。
【請求項５】
前記支持面は前記ケーシングを案内する傾斜面を有する、請求項３又は４に記載の超音波診断装置用支持台。
【請求項６】
前記支持面には、前記所定方向の両側に、前記所定方向と交差する方向に沿うように形成された横壁が設けられている、請求項１乃至５の何れか１項に記載の超音波診断装置用支持台。
【請求項７】
前記超音波診断装置を支持した状態で、前記プローブと対向する位置に先端側支持面が設けられ、前記プローブと前記先端側支持面との間にスペースが形成されるように構成されている、請求項１乃至６の何れか１項に記載の超音波診断装置用支持台。
【請求項８】
前記上面の先端側が窪んでいると共に、基端側に給電モジュールが設けられている、請求項１乃至７の何れか１項に記載の超音波診断装置用支持台。
【請求項９】
請求項１乃至８の何れか１項に記載の超音波診断装置用支持台と、
前記超音波診断装置用支持台に支持される超音波診断装置と、を備えた、診断装置セット。
【請求項１０】
超音波を受信するプローブと、
受信した超音波に基づいて作成される画像を表示する画像表示部と、
主面に前記画像表示部が配置され、所定方向の一端に前記プローブが配置され、内部に受電モジュールを収容すると共に一方向に延びるように形成されたケーシングと、を備えた、超音波診断装置。
【請求項１１】
前記受電モジュールの少なくとも一部は、前記ケーシングの長手方向の中心よりも、前記所定方向の他端側に配されている、請求項１０に記載の超音波診断装置。
【発明の詳細な説明】
【技術分野】
【０００１】
本発明は、超音波診断装置用支持台、診断装置セット、および超音波診断装置に関する。
【背景技術】
【０００２】
従来から、患者に針等を穿刺する穿刺作業を行う際、穿刺状態（針の位置、方向、および深さ等）を確認しながら穿刺作業を行うことが好ましく、そのような場合に使用されるものとして超音波診断装置が知られている。
【０００３】
超音波診断装置は、患者の体内を可視化するものであり、プローブおよびモニターを備えている。超音波診断装置を使用する際には、まず体内の可視化したい部分の体表に、液状のエコー用ゲルを塗布する。更に、プローブを患者の体表に当て、プローブから体表に向けて超音波を送信する。また、プローブは患者の体内にて反射された超音波、即ち反射波を受信するようになっており、モニターは受信した反射波に基づいて作成される体内に関する画像を映すようになっている。
【０００４】
例えば特許文献１には、上記のような超音波診断装置（特許文献１では、プローブと記載）として、本体に接続されるケーブルを備え、プローブホルダに保持されるものが開示されている。このプローブホルダは平面視でＣ字状のホルダ部を有し、超音波診断装置は立てられた状態でその一部がホルダ部に挿入されることで保持されるようになっている。同様に、特許文献２には、立てられた状態でその一部がホルダに挿入されて保持されているプローブが開示されている。
【０００５】
一方、ケーブルの煩わしさを解消するために、プローブと超音波診断装置本体との間の情報通信を無線により行う超音波診断装置が知られている。例えば特許文献３には、アンテナを備えたＸ線検査装置が開示されており、当該Ｘ線検査装置は立てられた状態で保持されている。同様に、特許文献４には、無線通信を行うことが可能で、二次電池が内蔵された超音波診断装置（特許文献４では、超音波プルーブと記載）が開示されている。この超音波診断装置は、立てられた状態で超音波プルーブホルダに装填して充電が行われるようになっている。
【先行技術文献】
【特許文献】
【０００６】
【特許文献１】特許第５８３０５９７号公報
【特許文献２】米国特許出願公開第２００５／２５６４０６号明細書
【特許文献３】米国特許出願公開第２００７／１４０４２４号明細書
【特許文献４】特開２０１１−７２７０３号公報
【発明の概要】
【発明が解決しようとする課題】
【０００７】
しかしながら、特許文献１乃至４の超音波診断装置は、立てられた状態でホルダに保持されているため、医療従事者が超音波診断装置に接触したときに当該超音波診断装置が傾倒することがある。そのため、超音波診断装置を安定して保持することが求められている。
【０００８】
そこで、本発明は、超音波診断装置を安定して保持することができる超音波診断装置用支持台、診断装置セット、および安定して保持され得る超音波診断装置を提供することを目的とする。
【課題を解決するための手段】
【０００９】
本発明に係る超音波診断装置用支持台は、超音波を受信するプローブと、受信した超音波に基づいて作成される画像を表示する画像表示部と、主面に前記画像表示部が配置され、所定方向の一端に前記プローブが配置されたケーシングと、を有する超音波診断装置を支持する超音波診断装置用支持台であって、接地面を形成する下面と、前記反対面が載置される上面とを有し、前記所定方向及び前記所定方向と交差する方向への前記ケーシングの相対移動を規制する支持面を備えているものである。
【００１０】
本発明によれば、超音波診断装置のケーシングの主面が重力方向垂直に延在するため、医療従事者が意図せず超音波診断装置と接触して超音波診断装置が傾倒するようなことを抑制又は防止することができる。また、超音波診断装置が支持面により支持されるので、所定方向或いは所定方向と交差する方向にズレ難くなる。
【発明の効果】
【００１１】
本発明によれば、超音波診断装置を安定して保持することができる超音波診断装置用支持台、診断装置セット、および安定して保持され得る超音波診断装置を提供することができる。
【図面の簡単な説明】
【００１２】
【図１】本発明の一実施形態に係る超音波診断装置の斜視図である。
【図２】（ａ）は図１の超音波診断装置の左側面図であり、（ｂ）は図１の超音波診断装置の正面図である。
【図３】（ａ）は図２（ｂ）のＩＩＩａ−ＩＩＩａ線断面図であり、（ｂ）は図２（ｂ）のＩＩＩｂ−ＩＩＩｂ線断面図である。
【図４】本発明の一実施形態に係る超音波診断装置用支持台の斜視図である。
【図５】図４の超音波診断装置用支持台の平面図である。
【図６】（ａ）は図５のＶＩａ−ＶＩａ線断面図であり、（ｂ）は図５のＶＩｂ−ＶＩｂ線断面図である。
【図７】図４の超音波診断装置用支持台に図１の超音波診断装置が支持されている状態の診断装置セットを示す斜視図である。
【図８】図７の診断装置セットの平面図である。
【図９】（ａ）は図８のＩＸａ−ＩＸａ線断面図であり、（ｂ）は図８のＩＸｂ−ＩＸｂ線断面図である。
【図１０】超音波診断装置の変形例を示す斜視図である。
【図１１】（ａ）は図１０の超音波診断装置の左側面図であり、（ｂ）は図１０の超音波診断装置の正面図である。
【図１２】（ａ）は図１１（ｂ）のＸＩＩａ−ＸＩＩａ線断面図であり、（ｂ）は図１１（ｂ）のＸＩＩｂ−ＸＩＩｂ線断面図である。
【発明を実施するための形態】
【００１３】
以下、本発明の一実施形態に係る超音波診断装置用支持台、診断装置セットおよび超音波診断装置について、図面を参照しながら説明する。なお、以下の説明で用いる方向の概念は、説明する上で便宜上使用するものであって、発明の構成の向き等をその方向に限定するものではない。また、以下に説明する超音波診断装置用支持台、診断装置セット、および超音波診断装置は、本発明の一実施形態に過ぎない。従って、本発明は実施形態に限定されず、発明の趣旨を逸脱しない範囲で追加、削除、変更が可能である。
【００１４】
（第１実施形態）
最初に、第１実施形態の超音波診断装置用支持台に保持される超音波診断装置について説明する。
【００１５】
＜超音波診断装置＞
図１に示す超音波診断装置２は、皮下にある血管等を可視化しながら針等を穿刺する際に用いられるものであり、例えば透析治療においてカテーテルを血管に留置する際に用いられる。なお、以下の説明において、互いに直交する３つの軸を、Ｘ軸、Ｙ軸、およびＺ軸とする。
【００１６】
超音波診断装置２は、体表に当てられた状態で被検部（皮下組織）に超音波を発振すると共に被検部にて反射された超音波（反射波）を受信する。また、超音波診断装置２は、受信した反射波に基づいて画像処理を行い、被検部の断面の画像を映し出すようになっている。
【００１７】
このような超音波診断装置２は、図１および図２（ｂ）に示すように、ケーシング１１と、プローブ１２と、モニター１３とを有している。
【００１８】
超音波診断装置２のケーシング１１は、例えばポリカーボネート、ABS（アクリロニトリル・ブタジエン・スチレン）樹脂、SAS（シリコン・アクリロニトリル・スチレン）、及びポリプロピレン等の合成樹脂から成り、正面視で大略矩形状且つ断面扁平状の箱体である。
【００１９】
ケーシング１１は、Ｘ軸の一方である基端側部分（上側部分）１１ｂと、この基端側部分１１ｂに一体的に形成されたＸ軸の他方である先端側部分（下側部分）１１ａとを有している。
【００２０】
ケーシング１１の先端側部分１１ａは、基端側部分１１ｂに対してＺ軸方向の一方側（ケーシング１１の前面（主面）１１ｅと反対側の面である後面（反対面）１１ｆの側）に向かって反り返るように湾曲し、その湾曲部１１ｃから先端側部分１１ａにかけて後面１１ｆ側に傾倒するように形成されている。ケーシング１１の基端側部分１１ｂの上端から先端側部分１１ａの下端にかけて形成された一連の上記形状の方向が所定方向に相当する。ケーシング１１の前面（主面）１１ｅと反対側の面である後面（反対面）１１ｆの側はその他の面に対して相対的に広い面を形成している。
【００２１】
ケーシング１１の先端側部分１１ａは、先端に向かって先細りの台形状に形成され、その先端部にはプローブ１２が配置されている。
【００２２】
プローブ１２は、超音波を送受信するように構成されており、図略のセンサを有している。このセンサは、例えば圧電素子等の振動子及び音響レンズによって構成されている。センサは、ケーシング１１の先端側部分１１ａに埋め込むように設けられ、当該センサの下端面が先端側部分１１ａの先端面と面一となるようにケーシング１１に配置されている。また、センサは、ケーシング１１内に収容される制御装置（図略）に接続され、当該制御装置からの指令に応じて超音波を発振するようになっている。そして、センサは、被検部で反射される反射波を受信し、受信する超音波に応じた信号を制御装置に出力する。即ち、センサの振動子が被検部で反射される反射波によって振動して、その振動に応じた信号を制御装置に出力する。制御装置は、画像処理機能を有しており、その信号に基づいて画像処理を行って画像データをモニター１３に出力する。
【００２３】
ケーシング１１の前面１１ｅには、正面視で矩形状に形成され、画像表示部の一例であるモニター１３が配置されている。モニター１３は、例えば液晶型モニター又は有機ＥＬ型モニターで構成され、画像データに応じた画像を表示するようになっている。即ち、モニター１３には、上記センサで受信した反射波に基づいて作成される画像、例えば被検部の断面を映し出すようになっている。モニター１３の左右の幅（Ｙ軸方向の長さ）はケーシング１１の左端付近から右端付近までにわたり、モニター１３の上下の高さ（Ｘ軸方向の長さ）はケーシング１１の基端側部分１１ｂの上端付近から湾曲部１１ｃ付近までにわたっている。
【００２４】
このような構成において、超音波診断装置２では、そのプローブ１２を被検部の体表に当て、その状態でプローブ１２のセンサの振動子から超音波を発振させる。発振される超音波は被検部にて反射され、その反射をセンサの振動子にて受信する。そうすると、センサの振動子が反射波に応じて振動し、振動子はその振動に応じた信号を制御装置に出力する。制御装置は、その信号に基づいて画像処理を行い、それによって被検部の断面がモニター１３に映し出される。
【００２５】
ケーシング１１の先端側部分１１ａの側面（Ｙ軸方向の両側面）の各々には、後述の図７に示すブラケット４の一対の嵌合孔４１，４１に対応させて一対の嵌合凸部１１ｄ，１１ｄが形成されている。
【００２６】
ここで、図２（ａ）に示すように、ケーシング１１の湾曲部１１ｃの後面１１ｆ側には被係合部１１ｇが形成されている。この被係合部１１ｇは、湾曲部１１ｃの面よりも曲率半径が小さい凹状の円弧面で構成されている。なお、被係合部１１ｇについては後述する。
【００２７】
図２（ａ）および図３（ａ）に示すように、ケーシング１１は上端面１１ｉを有しており、この上端面１１ｉと後面１１ｆとは曲面１１ｈで連結されている。つまり、ケーシング１１の上端面１１ｉと後面１１ｆとの間には、曲面１１ｈが設けられている。
【００２８】
また、図３（ｂ）に示すように、ケーシング１１の後面１１ｆは、前面１１ｅと平行にかつ所定方向に延在する中央面１０１と、この中央面１０１の両端にケーシング１１の方に湾曲して所定方向に延在する曲面１０２とを含んでいる。ケーシング１１の後面１１ｆにこのような曲面１０２を設けることで、ケーシング１１が使用者の掌にフィットし、持ち易くなっている。
【００２９】
また、図３（ａ），（ｂ）に示すように、ケーシング１１内には薄板状の受電モジュール１４が設けられている。受電モジュール１４は、ケーシングの後面１１ｆを構成する板部の内面上に配されている。この受電モジュール１４は、超音波診断装置２が後述の超音波診断装置用支持台１に支持された状態で、この超音波診断装置用支持台１に設けられた給電モジュールから電力を受けるように構成されている。
【００３０】
＜超音波診断装置用支持台＞
続いて、上述した超音波診断装置２を支持する超音波診断装置用支持台１について、図面を参照しながら説明する。
【００３１】
図４および図５に示すように、本実施形態の超音波診断装置用支持台１は、上述の超音波診断装置２を支持するものであって、内部空間２０（図６（ａ），（ｂ）参照）を有し、例えばポリカーボネート、ABS（アクリロニトリル・ブタジエン・スチレン）樹脂、SAS（シリコン・アクリロニトリル・スチレン）、及びポリプロピレン等の合成樹脂から成り、中空状に形成されたものである。
【００３２】
超音波診断装置用支持台１の内部空間２０には、超音波診断装置２の受電モジュール１４に対して給電を行う給電モジュール２２（図６（ａ），（ｂ）参照）が設けられている。この給電モジュール２２は、後述の支持面２１ａを構成する板部の内側面に配されている。このような超音波診断装置用支持台１は、大きくは上面、下面および側面を有している。超音波診断装置用支持台１の上面が超音波診断装置２を支持する支持面２１を構成しており、この支持面２１は、ケーシング１１の後面１１ｆのうち、少なくとも、所定方向と交差する方向の両側部分を支持するものである。また、上面の先端側は窪んでおり、基端側に給電モジュールが設けられた超音波診断装置用支持台１の全体のサイズが小さくされている。以下、詳細に説明する。
【００３３】
図４に示すように、支持面２１は、底面である支持面２１ａ，傾斜面である２つの支持面２１ｂ、支持面２１ｃ，係合部である支持面２１ｄ，先端側支持面である支持面２１ｅを含んで構成されている。なお、支持面２１、後述の横壁２３，２４および縦壁２５が上面に相当する。
【００３４】
支持面２１ａは、Ｘ軸およびＹ軸からなる平面に平行にかつＸ軸に沿って延在するように形成されており、超音波診断装置２のケーシング１１の中央面１０１を支持する。また、一方の支持面２１ｂは、支持面２１ａのＹ軸方向の一端に連結されていると共に支持面２１ａから離れるにつれて上方に湾曲して形成され、ケーシング１１の一方の曲面１０２を支持する。また、他方の支持面２１ｂは、支持面２１ａのＹ軸方向の他端に連結されていると共に支持面２１ａから離れるにつれて上方に湾曲して形成され、ケーシング１１の他方の曲面１０２を支持する。
【００３５】
また、支持面２１ｃは、支持面２１ａのＸ軸方向の一端に連結されていると共に支持面２１ａから離れるにつれて上方に湾曲して形成され、ケーシング１１の曲面１１ｈを支持する。支持面２１ｄは、支持面２１ａのＸ軸方向の他端に連結されていると共に上方に突出した状態で湾曲して形成され（図６（ａ）参照）、ケーシング１１の凹状の被係合部１１ｇに係合してこれを支持する。支持面２１ｄは、所定方向と交差する方向（好ましくは所定方向と直交する方向）に延在するように形成されている。
【００３６】
さらに、図６（ａ）に示すように、支持面２１ｅは、支持面２１ａのＸ軸方向の他端に連結されていると共に下方に傾斜する面および凹状に湾曲した面を含む支持面２１ｅ１と、この支持面２１ｅ１に連結されていると共に支持面２１ｅ１から離れるにつれて上方に湾曲して形成された支持面２１ｅ２とで構成されており、超音波診断装置２と超音波診断装置用支持台１とが合致する大まかな向きが視覚的に判別しやすくなっている。
【００３７】
超音波診断装置用支持台１の支持面２１が上記のような複数の支持面を有することで、超音波診断装置用支持台１には大略凹部が形成されるようになっている。そして、超音波診断装置用支持台１の平面視における面積は超音波診断装置２の平面視における面積よりも大きくなっている。そのため、図７および図８に示すように、超音波診断装置２は、超音波診断装置用支持台１に載置されて支持されている状態で当該超音波診断装置用支持台１の上記凹部に収まるように構成されている。
【００３８】
以上の構成において、超音波診断装置２が超音波診断装置用支持台１上に置かれると、超音波診断装置２のケーシング１１の中央面１０１が支持面２１ａに支持され、ケーシング１１の各曲面１０２が対応する支持面２１ｂに支持され、ケーシング１１の曲面１１ｈが支持面２１ｃに支持され、ケーシング１１の被係合部１１ｇが支持面２１ｄに係合した状態で支持され、ケーシング１１の先端側部分１１ａに被せられたブラケット４が支持面２１ｅに支持されるようになっている。
【００３９】
ここで、図４に示すように、超音波診断装置用支持台１には、横壁２３と、横壁２４と、２つの縦壁２５とが設けられている。横壁２３は、超音波診断装置用支持台１における所定方向の一端に所定方向と交差する方向（つまりＹ軸方向）に延在するように形成されている。横壁２３は、支持面２１ｃのＸ軸方向の一方側の縁において立設するように設けられている。また、横壁２４は、超音波診断装置用支持台１における所定方向の他端に設けられ、図８に示すように、先細りの略台形状に形成されたケーシング１１の先端側部分１１ａに沿うように先細りの略台形状に形成されている。横壁２４は、支持面２１ｅ２の先端側の縁において立設するように設けられている。
【００４０】
一方、縦壁２５は、音波診断装置用支持台１における所定方向と交差する方向の両側に、当該所定方向に沿って延在するように形成されている。縦壁２５は、支持面２１ｂの外側の縁において立設するように設けられている。なお、図６（ａ），（ｂ）に示すように、超音波診断装置用支持台１の下面（接地面を形成する面）には、例えばシリコン等からなり、薄板状に形成された複数の滑り止め部材３０が設けられている。
【００４１】
＜診断装置セット＞
本実施形態では、図７、図８および図９（ａ）に示すように、超音波診断装置２およびこれを支持する超音波診断装置用支持台１からなる診断装置セット３において、超音波診断装置２のケーシング１１の先端側部分１１ａにはブラケット４が取り付けられる。詳しくは、ブラケット４は、正面視で大略台形のカバー状の部材であり、その内部空間がケーシング１１の先端側部分１１ａの外形形状に沿わせて形成されている。ブラケット４は、ケーシング１１の先端側部分１１ａに被せて装着することができるように構成されている。
【００４２】
また、ブラケット４における左右の側面（Ｙ軸方向の両側面）には、一対の可撓片４０がその両側に隙間を空けた状態で設けられている。可撓片４０には係合孔４１が形成されている。このような構成において、ブラケット４をケーシング１１の先端側部分１１ａに装着させた際に、ケーシング１１の一対の嵌合凸部１１ｄ，１１ｄが一対の係合孔４１の各々に嵌まり込むようになっている。これにより、ブラケット４は、ケーシング１１の先端側部分１１ａに位置決めされた状態で装着される。このようにして、ケーシング１１の先端側部分１１ａにブラケット４が装着された状態で、超音波診断装置２が超音波診断装置用支持台１上に支持される。この場合、図９に示すように、ケーシング１１の後面１１ｆに設けられた被係合部１１ｇが超音波診断装置用支持台１の支持面２１ｄに係合された状態で、プローブ１２とこれに対向する先端側支持面２１ｅの支持面２１ｅ２との間にはスペースが形成される。このプローブ１２と支持面２１ｅ２との間のスペースにブラケット４が配されるようになっている。このような構成によって、ブラケット４によりプローブ１２を保護することができるので、プローブ１２に対する干渉物の接触や衝撃を防ぐことができる。
【００４３】
以上のように、本実施形態の超音波診断装置用支持台１によれば、超音波診断装置２のケーシング１１の後面１１ｆのうち、少なくとも、上記所定方向と交差する方向の両側部分が支持面により支持される。詳細には、超音波診断装置２が超音波診断装置用支持台１上に置かれると、超音波診断装置２のケーシング１１の中央面１０１が支持面２１ａに支持され、ケーシング１１の各曲面１０２が対応する支持面２１ｂに支持され、ケーシング１１の曲面１１ｈが支持面２１ｃに支持され、ケーシング１１の被係合部１１ｇが支持面２１ｄに係合した状態で支持され、ケーシング１１の先端側部分１１ａに被せられたブラケット４が支持面２１ｅに支持されるようになっている。このような構成により、超音波診断装置用支持台１に支持された状態の超音波診断装置２が所定方向と交差する方向（Ｙ軸方向）にズレ難くなると共に所定方向（Ｘ軸方向を含む方向）にもズレ難くなる。また、支持面２１ｂ、支持面２１ｃ，係合部である支持面２１ｄ，先端側支持面である支持面２１ｅには超音波診断装置２の向きを所定方向に案内するための傾斜面が形成されている。このため、超音波診断装置は超音波診断装置用支持台１に対して向きがずれた状態で載置されたとしても、傾斜案内面の案内作用により自然と超音波診断装置２の向きが超音波診断装置用支持台１の向きと合致する所定の向きに誘導される。さらに超音波診断装置用支持台１の周壁を形成する支持面２１ｂ、支持面２１ｃ、支持面２１ｅの傾斜面が湾曲状であることで超音波診断装置用支持台１から超音波診断装置２が抜け出てしまう事態が低減されており、また、支持面２１ｄや支持面２１ｅの傾斜面が湾曲状であることで、超音波診断装置２が傾斜面により案内されて台上を滑るように移動する際、支持面２１ｄが超音波診断装置２やプローブ１２を傷つけることなく超音波診断装置２を所定位置に誘導することができる。なお、周壁は全体を囲むようでなくともよい。
【００４４】
また、本実施形態では、超音波診断装置２ケーシング１１の被係合部１１ｇが支持面２１ｄに係合した状態で支持されるため、超音波診断装置２が所定方向（Ｘ軸方向）によりズレ難くなる。それにより、超音波診断装置２がより安定的に支持されるようになっている。
【００４５】
また、本実施形態では、超音波診断装置用支持台１に一対の縦壁２５を設けていることで、超音波診断装置２が所定方向と交差する方向にズレた場合でも、当該超音波診断装置２のそれ以上のズレを縦壁２５でくい止めることができる。これによって、超音波診断装置２が超音波診断装置用支持台１から落ちてしまうことを抑制又は防ぐことができる。
【００４６】
また、本実施形態では、超音波診断装置用支持台１に横壁２３，２４を設けていることで、超音波診断装置２が所定方向にズレた場合でも、当該超音波診断装置２のそれ以上のズレを横壁２３，２４でくい止めることができる。これによって、超音波診断装置２が超音波診断装置用支持台１から落ちてしまうことを抑制又は防ぐことができる。
【００４７】
さらに、本実施形態では、超音波診断装置２のケーシング１１の先端側部分１１ａにブラケット４が取り付けられている。これにより、プローブ１２を外力から保護することができる。
【００４８】
（第２実施形態）
第２実施形態の超音波診断装置２Ａは、上述の第１実施形態の超音波診断装置２と形状が異なっている。なお、以下の説明において、第１実施形態と同じ構成要素については第１実施形態と同じ符号を付すことでその説明を省略することがある。
【００４９】
図１０乃至図１２に示すように、第２実施形態の超音波診断装置２Ａのケーシング１１Ａにおいては、第１実施形態のような湾曲部１１ｃは設けられていない。すなわち、ケーシング１１は、側面視で大略矩形状に形成され、一方向（Ｘ軸方向）に延びるように形成されている。ケーシング１１Ａは、Ｘ軸およびＹ軸により構成される平面に平行に形成された基端側部分（上側部分）１１ｂと、この基端側部分１１ｂに一体的に形成された先端側部分（下側部分）１１ａと、を有している。ケーシング１１の先端側部分１１ａは、第１実施形態と同様に、先端に向かって先細りの台形状に形成され、その先端部にプローブ１２が配置されている。
【００５０】
また、図１１（ａ）および図１２（ａ）に示すように、ケーシング１１の後面１１ｆにおいて先端側部分１１ａと基端側部分１１ｂとの間には凹部状に形成された被係合部１１ｇが形成されている。この被係合部１１ｇの外形は例えば円弧状に形成されている。
【００５１】
また、図１２（ａ）に示すように、受電モジュール１４の少なくとも一部は、ケーシング１１の長手方向の中心よりも所定方向（Ｘ軸方向）の他端側（プローブ１２の逆側）に配されている。また、受電モジュール１４は、被係合部１１ｇよりもプローブ１２の逆側に配されている。なお、上記に限らず、受電モジュール１４の全部を、ケーシング１１の長手方向の中心よりも所定方向（Ｘ軸方向）の他端側（プローブ１２の逆側）に配置するように構成してもよい。
【００５２】
このように、本実施形態の超音波診断装置２Ａによれば、受電モジュール１４の少なくとも一部が、ケーシング１１の長手方向の中心よりも所定方向（Ｘ軸方向）の他端側（プローブ１２の逆側）に配され、受電モジュール１４は被係合部１１ｇよりもプローブ１２の逆側に配されている。このように、プローブ１２を極力避けた位置に受電モジュール１４を配置することでプローブ１２に対する電気的な悪影響を抑制又は防ぐことができる。
【００５３】
（変形例）
本発明は上述した実施形態に限定されるものではなく、本発明の要旨を逸脱しない範囲で種々の変形が可能である。例えば、以下の通りである。
【００５４】
上記実施形態では、超音波診断装置用支持台１において支持面２１ａ，２１ｂ，２１ｃ，２１ｄ，２１ｅを設けることとしたが、これに限定されるものではなく、例えば、支持面２１ｄのみ、支持面２１ｅのみ、支持面２１ｂ，２１ｃのみとしてもよく、また、面状でなく凸部等であってもよく、また、超音波診断装置２が所定位置にある状態で当接しておらず、超音波診断装置２が意図せず動いた際に超音波診断装置２と当接支持して移動を規制する構成であってもよい。
【００５５】
また、上記実施形態では、超音波診断装置２に凹状の被係合部１１ｇを設け、超音波診断装置用支持台１に凸状の支持面２１ｄを設けることとしたが、これに限定されるものではなく、超音波診断装置２に凸状の被係合部を設け、超音波診断装置用支持台１に凹状の支持面を設けるように構成してもよい。
【００５６】
また、上記実施形態では、係合部である支持面２１ｄを所定方向と交差する方向（Ｙ軸方向）に延在するように設けたが、これに限定されるものではなく、Ｘ軸方向に延在するようにしてもよく、また、支持面２１ｄをＹ軸方向に延在させなくても、例えば円や楕円形状、三角や四角形状等の突起状の支持面を形成してもよい。また、上記実施形態では超音波診断装置２に凹状部を設けたが、超音波診断装置２に凸状部を設けて、支持面２１ｄを凹状にしてもよい。
【００５７】
また、上記実施形態では、ケーシング１１の先端側部分１１ａにブラケット４を被せるように構成したが、これに限定されるものではなく、ブラケット４は必須の構成部材ではない。なお、ブラケット４を設けない場合、ケーシング１１が傾斜面により誘導され、位置決めされた時にプローブ１２と超音波診断装置用支持台１とが離間するように構成されていることが好ましい。上記実施形態では、係合部２１ｄによりプローブ１２と超音波診断装置用支持台１とが離間した状態で位置決めされるが、超音波診断装置用支持台１の周壁の一部に切り欠きや孔や突起などの係合部を設け、超音波診断装置２に係合部と係合する被係合部を形成することで、プローブ１２と超音波診断装置用支持台１とが離間した状態で位置決めしてもよい。また、プローブ１２周辺のケーシング１１と当接する突起を超音波診断装置用支持台１に設け、プローブ１２と超音波診断装置用支持台１とを離間状態としてもよい。
【００５８】
さらに、上記実施形態では、超音波診断装置用支持台１の内部空間２０に給電モジュール２２を設ける構成としたが、これに限らず、給電モジュール２２を設けなくてもよい。すなわち、超音波診断装置用支持台１の用途は、超音波診断装置２を安定した状態で支持しつつ当該超音波診断装置２に対する給電を行うものに限らず、単に超音波診断装置２を安定した状態で支持するもののみであってもよい。
【００５９】
なお、上記実施形態は独立した複数の発明を備え、各特徴部が独立発明として成り立ち得る。例えば、係合部である２１ｄは必ずしも必須ではないし、また、横壁２３，２４および一対の縦壁２５については、何れか一方のみを設けるように構成してもよいし、設けなくてもよい。
【符号の説明】
【００６０】
１  超音波診断装置用支持台
２，２Ａ  超音波診断装置
３  診断装置セット
１１，１１Ａ  ケーシング
１１ａ  先端側部分
１１ｅ  前面（主面）
１１ｆ  後面
１１ｇ  被係合部
１２  プローブ
１３  モニター
１４  受電モジュール
２１，２１ａ，２１ｂ，２１ｃ，２１ｄ，２１ｅ，２１ｅ１，２１ｅ２  支持面
２２  給電モジュール
２３，２４  横壁
２５  縦壁
【図１】
2020081250.tif 000003
【図２】
2020081250.tif 000004
【図３】
2020081250.tif 000005
【図４】
2020081250.tif 000006
【図５】
2020081250.tif 000007
【図６】
2020081250.tif 000008
【図７】
2020081250.tif 000009
【図８】
2020081250.tif 000010
【図９】
2020081250.tif 000011
【図１０】
2020081250.tif 000012
【図１１】
2020081250.tif 000013
【図１２】
2020081250.tif 000014